(57)【要約】【課題】設備の運転データに基づくレポートをより好適に生成できるようにする。【解決手段】設備が設置されている遠隔地に設置された設備運転データ収集装置と、センタに設置され日報を生成する遠隔監視装置とを有する設備遠隔監視システムにおいて、設備運転データ収集装置に予め点検時刻を設定しておく。データ収集部４１は、監視対象の設備に取り付けたセンサから送られてくる温度等の運転データを収集してデータ保持部４２に蓄積する。データ管理部４３は、点検時刻における運転データのみをデータ送信部４４に送信させる。設備が予め設定された点検時刻に運転されていなかったときには予め決められた規則に従い点検時刻を変更し、変更した点検時刻における運転データのみをセンタに送信する。遠隔監視装置は、送られてきた運転データに基づき日報を生成する。【選択図】        図１
2004310390.tif 000002
【特許請求の範囲】
【請求項１】
センタに設置された遠隔監視装置と、前記センタの遠隔地に設置された設備の運転データを収集すると共にその収集した運転データを前記遠隔監視装置へ送信することによってレポートを生成させる設備運転データ収集装置とを有する設備遠隔監視システムにおけるレポート生成方法において、
前記設備運転データ収集装置は、予め設定された点検時刻に収集された設備の運転データのみを前記遠隔監視装置へ送信する運転データ送信ステップを含み、
前記遠隔監視装置は、前記設備運転データ収集装置から送られてきた運転データに基づきレポートを生成する生成ステップと、
を含むことを特徴とする設備遠隔監視システムにおけるレポート生成方法。
【請求項２】
前記設備運転データ収集装置は、予め設定された点検時刻に設備が運転されていないときには、予め決められた規則に従い特定した設備運転中の時刻を点検時刻として設定する点検時刻設定ステップを含み、
前記運転データ送信ステップは、前記点検時刻設定ステップにより設定された点検時刻における運転データのみを前記遠隔監視装置へ送信することを特徴とする請求項１記載の設備遠隔監視システムにおけるレポート生成方法。
【請求項３】
センタに設置された遠隔監視装置と、
前記センタの遠隔地に設置された設備の運転データを収集すると共にその収集した運転データを前記遠隔監視装置へ送信することによってレポートを生成させる設備運転データ収集装置と、
を有する設備遠隔監視システムにおいて、
前記設備運転データ収集装置は、予め設定された点検時刻に収集された設備の運転データのみを前記遠隔監視装置へ送信する運転データ送信手段を有することを特徴とする設備遠隔監視システム。
【請求項４】
予め設定された点検時刻に設備が運転されていないときには、予め決められた規則に従い特定した設備運転中の時刻を点検時刻として設定する点検時刻設定手段を有し、
前記運転データ送信手段は、前記点検時刻設定手段が設定した点検時刻における運転データのみを前記遠隔監視装置へ送信することを特徴とする請求項３記載の設備遠隔監視システム。
【発明の詳細な説明】
【０００１】
【発明の属する技術分野】
本発明は、センタから遠隔地に設置された冷凍、空調等の設備の運転状態を監視する設備運転データ収集装置と、センタに設置され、設備運転データ収集装置から送られてくる設備の運転データに基づきレポートを生成する遠隔監視装置とを有する設備遠隔監視システム、特にレポートを生成する際に用いる運転データの取り扱いの改良に関する。
【０００２】
【従来の技術】
図３は、冷凍、空調等の設備の運転状態を監視する設備遠隔監視システムの一般的な全体構成図である。図３において、センタ１０には、遠隔地に設置された設備１の運転状態を監視すると共に設備の運転データに基づき日報を生成する遠隔監視装置１１が設置されている。一方、設備１が設置されている遠隔地（以下、「ローカル」という）２０には、設備１の１乃至複数の部位に取り付けたセンサ２によって温度・圧力などを検出し、これらの検出されたデータをＡＤコンバータ３を介して収集する遠隔監視機能付きデータ収集装置（以下「設備運転データ収集装置」という）４が設置されている。設備運転データ収集装置４が収集する温度等のデータを総称して運転データということにすると、運転データは、モデム５、公衆回線網６、モデム１２を介して遠隔監視装置１１へ送られる。遠隔監視装置１１は、送られてきた運転データに基づき日報を生成し、これをモデム１３、公衆回線網６、モデム７を介して設備１と同じローカル２０に設置されたパーソナルコンピュータ（ＰＣ）８へ電子メールを利用するなどして送信する。なお、遠隔監視装置１１は、通常、契約により複数箇所のローカルに設置の設備運転データ収集装置４及びＰＣ８と接続されるが、各ローカル２０に配設する装置の基本構成は、設備１の設置数に関わらず同様であるために図３には１カ所のローカル２０のみ図示した。
【０００３】
ここで、運転データを収集してから日報がＰＣ８へ送られるまでに行われる従来の処理の流れについて説明する。
【０００４】
ローカル２０において、設備運転データ収集装置４は、センサ２により検出された運転データを、例えば１分毎のように定期的に収集し内部に蓄積する。遠隔監視装置１１は、設備運転データ収集装置４が収集した運転データを、例えば１時間毎のように定期的に収集し内部に蓄積する。遠隔監視装置１１は、このように各設備の運転データの収集、蓄積処理を定期的に繰り返し行う。そして、予め決められた期間、この場合は日報を生成するので１日という単位のデータ収集期間において運転データを収集すると、遠隔監視装置１１は、蓄積した運転データに基づき平均処理等のデータ処理を施して設備単位あるいはローカル単位に日報を自動生成する。そして、生成した日報を上記の通りＰＣ８へ送信する。
【０００５】
【発明が解決しようとする課題】
しかしながら、従来においては、設備運転データ収集装置によりデータ収集期間内において定期的に収集された運転データ全てがローカルからセンタに対して定期的に送信されることになるため、公衆回線を介してデータ送信を行うときの通信コストの高騰を招く。更に、遠隔監視装置は、各ローカルから送信されてくる運転データを日報を生成するまでの間、蓄積しなければならないため、センタに膨大なデータ記憶手段を設けなければならなかった。これらの問題は、監視対象とする設備の増加に伴いより顕著になる。
【０００６】
本発明は以上のような問題を解決するためになされたものであり、その目的は、設備の運転データに基づく日報等のレポートをより好適に生成することのできる設備遠隔監視システムにおけるレポート生成方法を提供することにある。
【０００７】
【課題を解決するための手段】
以上のような目的を達成するために、本発明に係る設備遠隔監視システムにおけるレポート生成方法は、センタに設置された遠隔監視装置と、前記センタの遠隔地に設置された設備の運転データを収集すると共にその収集した運転データを前記遠隔監視装置へ送信することによってレポートを生成させる設備運転データ収集装置とを有する設備遠隔監視システムにおけるレポート生成方法において、前記設備運転データ収集装置は、予め設定された点検時刻に収集された設備の運転データのみを前記遠隔監視装置へ送信する運転データ送信ステップを含むことを特徴とする。
【０００８】
また、前記設備運転データ収集装置は、予め設定された点検時刻に設備が運転されていないときには、予め決められた規則に従い特定した設備運転中の時刻を点検時刻として設定する点検時刻設定ステップを含み、前記運転データ送信ステップは、前記点検時刻設定ステップにより設定された点検時刻における運転データのみを前記遠隔監視装置へ送信することを特徴とする。
【０００９】
本発明に係る設備遠隔監視システムは、センタに設置された遠隔監視装置と、前記センタの遠隔地に設置された設備の運転データを収集すると共にその収集した運転データを前記遠隔監視装置へ送信することによってレポートを生成させる設備運転データ収集装置とを有する設備遠隔監視システムにおいて、前記設備運転データ収集装置は、予め設定された点検時刻に収集された設備の運転データのみを前記遠隔監視装置へ送信する運転データ送信手段を有することを特徴とする。
【００１０】
また、予め設定された点検時刻に設備が運転されていないときには、予め決められた規則に従い特定した設備運転中の時刻を点検時刻として設定する点検時刻設定手段を有し、前記運転データ送信手段は、前記点検時刻設定手段が設定した点検時刻における運転データのみを前記遠隔監視装置へ送信することを特徴とする。
【００１１】
【発明の実施の形態】
以下、図面に基づいて、本発明の好適な実施の形態について説明する。なお、本実施の形態における設備遠隔監視システムの全体構成は、従来と同じでよいため図３をそのまま用いることにする。本実施の形態は、設備運転データ収集装置４の機能構成と、設備運転データ収集装置４との通信回数、送られてくる運転データの構成の相違に伴う遠隔監視装置１１における日報生成処理の内容が異なる。
【００１２】
図１は、本実施の形態における設備運転データ収集装置４のブロック構成図である。本実施の形態における設備運転データ収集装置４は、データ収集部４１、データ保持部４２、データ管理部４３及びデータ送信部４４を有している。データ収集部４１は、設備１に取り付けたセンサ２により検出された温度・圧力等の運転データを、ＡＤコンバータ３を介して収集し、データ保持部４２に蓄積していく。データ管理部４３は、データ保持部４２に蓄積された運転データをデータ送信部４４に送信させるが、本実施の形態においては、予め設定された点検時刻における運転データのみをセンタ１０へ送信するようにしたことを特徴の１つとしている。更に、予め設定された点検時刻に設備が運転されていないときには、予め決められた規則に従い特定した設備運転中の時刻を点検時刻として設定し、その設定した点検時刻における運転データのみをセンタ１０へ送信するようにしたことを他の特徴としている。
【００１３】
前述したように、本実施の形態では、遠隔監視装置１１に日報を生成させる前に点検時刻を予め設定しておく必要がある。従来における日報生成処理は、設備運転データ収集装置４により収集された運転データ全てがセンタ１０へ送信され、センタ１０では、送られてきた時系列の運転データに基づき平均値を求めたりしているが、設備１の運転状態を知るためのデータとしては、ある時点において実測した運転データあるいは運転データの遷移をもって設備日報として扱っている。つまり、設備１の運転状態の監視という観点からすると、時々刻々と変化する実測値の平均値は、実際にはあまり意味を持たない。そこで、収集した運転データ全てをセンタ１０に送信し、センタ１０において日報に載せる運転データを抽出させるのではなく、本実施の形態では、日報の生成に必要な運転データの抽出をローカル２０において実施させるようにした。すなわち、日報に載せる運転データのみをセンタ１０へ送信するようにすることでデータ送信量を削減するようにした。これにより、公衆回線網６を介してデータ送信を行う場合、通信コストの削減を図ることができる。また、センタ１０においては、日報に掲載する必要最小限の運転データのみが送られてくるので、日報を生成するまでに蓄積しておくデータ量を大幅に削減することができ、また、送られてきた運転データの中から日報生成に用いる運転データを抽出する必要もないので、より簡単な処理で日報を生成することができる。
【００１４】
このように、本実施の形態においては、運転データの収集時刻を指定することでセンタ１０へ送信する運転データを特定しているが、この送信する運転データを収集する時刻を点検時刻と称している。点検時刻及びデータ収集期間（日報の場合は「１日」）における点検時刻の設定数は、監視対象の設備１の種別や諸元、特性あるいは運用等によって任意に設定することができる。更に、センタ１０における処理能力やシステム全体の設備１の数等を参照にして設定すればよいが、基本的には１日に１回乃至４回の点検時刻を設定することが望ましい。なお、本実施の形態では、データ管理部４３が点検時刻の設定処理を行い、設定された内容を内部に保持することにしている。
【００１５】
次に、運転データを収集してから日報がＰＣ８へ送られるまでに行われる本実施の形態における処理の流れについて説明する。
【００１６】
ローカル２０において、設備運転データ収集装置４のデータ収集部４１は、センサ２により検出された運転データを収集し内部に蓄積する。本実施の形態の場合、点検時刻は予め特定されているので、最小限点検時刻の運転データをデータ保持部４２に蓄積すればよい。点検時刻において収集された運転データは、センタ１０へ送信されるが、複数の点検時刻が設定された場合、通信効率やコストを考慮すると、１日の最後の点検時刻における運転データ収集後に１日分の運転データをまとめて送信することが望ましい。上記の設備運転データ収集装置４における処理は、点検時刻を予め設定しておくことで自動的に実行させることができる。
【００１７】
遠隔監視装置１１は、設備運転データ収集装置４から送信されてくる運転データを内部にいったん保持するが、各ローカル２０からは点検時刻の運転データのみが送られてくるので、データ記憶量は従来に比べて大幅に削減される。そして、運転データに基づいて特別なデータ加工や編集を行うことなく日報を生成し、これをモデム１３、公衆回線網６、モデム７を介して設備１と同じローカル２０に設置されたＰＣ８へ電子メールを利用するなどして送信する。
【００１８】
本実施の形態によれば、以上のように点検時刻を予め設定することで日報の作成に用いる運転データを設備運転データ収集装置４において特定して送信するようにしたので、センタ１０へ送信するデータ量を削減することができる。これにより、公衆回線網６を介したときの通信コストの削減を図ることができる。また、センタ１０における日報生成処理では、運転データの記憶量を削減することができ、また、日報の生成に用いる運転データを送られてきた運転データの中から抽出する必要がなく日報生成処理を効率的に行うことができる。
【００１９】
ところで、上記説明においては、点検時刻において設備１が運転中であることを前提に説明した。しかしながら、何らかの原因により点検時刻に設備１が停止している場合もあり得る。もし、運転中でなければ、そのときに収集した運転データは有効でないため、この運転データに基づく日報は何の意味もなさない。
【００２０】
そこで、本実施の形態では、このような場合、以下のように処理する。
【００２１】
すなわち、データ管理部４３は、設備１への電力供給若しくは電力消費等を監視することで設備１の運転中か否かという運転状況を常時監視している。図２は、設備の運転状況を示した図である。図２（ａ）に示したように、予め設定した点検時刻Ｔにおいて設備１が運転中であるときには、前述したように、その時点における運転データをセンタ１０へ送信すればよい。ここで、もし、図２（ｂ）に例示したように、点検時刻Ｔにおいて設備１が運転中でなかったときのことを考慮して次のように処理する。まず、点検時刻Ｔを設定すると、これに応じて運転中検索対象期間という期間も併せて設定する。本実施の形態では、点検時刻を中心とした前後１０分、合計２０分間を運転中検索対象期間と設定する。運転中検索対象期間は、監視対象とする設備１の運転特性、生成するレポートの種類（ここでの例では日報）等によって適切な期間を設定すればよい。
【００２２】
点検時刻Ｔにおいて設備１が運転中でなかったとき、データ管理部４３は、運転中検索対象期間において運転中である時を検出し、その運転中であるときのある時点を点検時刻と設定する。図２（ｂ）のように、運転中である期間があるときは、その運転中であった期間における中央点を点検時刻Ｔ’と設定する。また、図２（ｂ）のｔａ，ｔｂのように運転中であった期間が複数存在する場合には、点検時刻Ｔに近い方を採用する。このように、設備１が予め設定した点検時刻Ｔに運転されていなかったときには、前述したような予め決められた規則に従い点検時刻をＴからＴ’に変更する。
【００２３】
なお、上記においては、点検時刻において設備１が運転中であることを前提に点検時刻の時の運転データを最小限収集し保持すればよいと説明したが、図２（ｂ）に例示したように、点検時刻Ｔより過去の時刻Ｔ’の運転データをセンタ１０に送信するためには、少なくとも運転中検索対象期間は定期的に運転データを収集しておく必要がある。
【００２４】
本実施の形態によれば、ローカル側において点検時刻を予め設定し、また、設備１の停止を考慮して予め設定した点検時刻を変更することができる。
【００２５】
なお、本実施の形態では、日報を生成する場合を例にして説明したが、生成するレポートとして日報に限定する必要はなく、週報、月報、更には異なる種類のレポートであってもよい。更に、各ローカル２０は、レポートを生成するために運転データを収集しセンタ１０へ送信するようにしたが、他の目的でセンタ１０に運転データを収集させる場合にも上記説明した方法は、適用可能であり、上記と同様にデータ通信量の削減等の効果を奏することができる。
【００２６】
【発明の効果】
本発明によれば、点検時刻を予め設定することでレポート生成に用いる運転データを設備運転データ収集装置側において特定して送信するようにしたので、運転データを遠隔監視装置へ送信するデータ量を削減することができる。これにより、公衆回線を介してデータを送信する場合には通信コストの削減を図ることができる。
【００２７】
また、センタにおける日報生成処理では、運転データの記憶量を削減することができ、また、設備運転データ収集装置からは、レポートの生成に必要な運転データのみが送られてくるので、送られてきた運転データの中から該当する運転データを抽出する必要がなく日報生成処理を効率的に行うことができる。
【図面の簡単な説明】
【図１】本実施の形態における設備運転データ収集装置のブロック構成図である。
【図２】本実施の形態において点検時刻の設定方法を説明するために用いる図である。
【図３】設備遠隔監視システムの一般的な全体構成図である。
【符号の説明】
１  設備、２  センサ、３  ＡＤコンバータ、４  遠隔監視機能付きデータ収集装置（設備運転データ収集装置）、５，７，１２，１３  モデム、６  公衆回線網、８  ＰＣ、１０  センタ、１１  遠隔監視装置、４１  データ収集部、４２  データ保持部、４３  データ管理部、４４  データ送信部。
【図１】
2004310390.tif 000003
【図２】
2004310390.tif 000004
【図３】
2004310390.tif 000005